(57)【要約】【課題】本発明は、要介護者のベッドと車椅子間の移動を、介助者が要介護者を一切抱えることなく実施できるよう、要介護者が着座した状態でベットと車椅子間を直線的に移動でき、かつ移動時に座したプレートをそのまま車椅子の座部として使用できる簡便で安価な介助具としてのセパレート型スライディングプレートの提供を課題とする。【解決手段】ベッドと、肘掛けが取り外しできる横乗りタイプの車椅子との間に掛架し、要介護者のベッドと車椅子間の移動を介助する際に使用するスライディングプレートであって、車椅子の座席部の外枠を形成する鋼製パイプに掛止して座席板として機能させる固定プレートと、固定プレートに着脱可能に連接して車椅子とベッド間に掛架される脱着プレートと、脱着プレートに載置され、要介護者を着座させてベッドと車椅子間を移動させるスライドプレートとで構成されてなるセパレート型スライディングプレートによる。【選択図】  図１
2020178749.tif 000002
【特許請求の範囲】
【請求項１】
ベッド（２０）と、肘掛けが取り外しできる横乗りタイプの車椅子（１０）との間に掛架し、要介護者のベッド（２０）と車椅子（１０）間の移動を介助する際に使用するスライディングプレートであって、
肘掛けを取り外した車椅子（１０）の座席部の外枠を形成する鋼製パイプに掛止して座席板として機能させる固定プレート（１）と、
該固定プレート（１）に着脱可能に連接して車椅子（１０）とベッド（２０）間に掛架される脱着プレート（２）と、
該脱着プレート（２）に載置され、要介護者を着座させてベッド（２０）と車椅子（１０）間を移動させるスライドプレート（３）と
で構成されてなることを特徴とするセパレート型スライディングプレート。
【請求項２】
前記固定プレート（１）がその裏面に、車椅子（１０）の座席部の外枠を構成する鋼製パイプに掛止して固定するための半割パイプクランプ（１ｂ）を、前記脱着プレート（２）との連接側に複数箇所、非連接側に複数箇所有してなり、かつ前記脱着プレート（２）との連接側には脱着プレート（２）を前記車椅子（１０）の座席外枠を構成する鋼製パイプに掛止可能とする切込部（１ｃ）を複数箇所形成してなることを特徴とする請求項１に記載のセパレート型スライディングプレート。
【請求項３】
前記固定プレート（１）がその裏面に、前記半割パイプクランプ（１ｂ）を脱着プレート（２）との連接側に４箇所、非連接側に２箇所有し、かつ脱着プレート（２）との連接を可能にする前記切込部（１ｃ）を２箇所に形成してなることを特徴とする請求項２に記載のセパレート型スライディングプレート。
【請求項４】
前記脱着プレート（２）がその裏面に、車椅子（１０）の座席部の外枠を構成する鋼製パイプに掛止して固定するための半割パイプクランプ（２ｂ）を複数箇所、前記固定プレート（１）の切込部（１ｃ）に挿着可能なように突出して設けて、前記固定プレート（１）との連接を可能にしてなることを特徴とする請求項１又は２に記載のセパレート型スライディングプレート。
【請求項５】
前記脱着プレート（２）がその裏面に、前記半割パイプクランプ（２ｂ）２箇所に設け、前記請求項３に記載の固定プレート（１）との連接を可能にしてなることを特徴とする請求項４に記載のセパレート型スライディングプレート。
【請求項６】
前記固定プレート（１）と脱着プレート（２）がその表面に、スライドプレート（３）の移動を安全かつ容易にするための誘導溝（１ａ、２ａ）を、両者が連接した際に滑らかに連通するよう穿設されてなることを特徴とする請求項１〜５のいずれか１項に記載のセパレート型スライディングプレート。
【請求項７】
前記スライドプレート（３）がその裏面に、前記固定プレート（１）及び脱着プレート（２）の表面に穿設された誘導溝（１ａ、２ａ）に摺動可能に挿着される２個のガイドロール（３ａ）と、前記固定プレート（１）と脱着プレート（２）の誘導溝（１ａ、２ａ）の両脇表面に当接して、スライドプレート（３）の滑らかな移動を可能にする複数のボールキャスター（３ｂ）の列を２列備えるとともに、表面を柔らかな素材で仕上げられてなることを特徴とする請求項１に記載のセパレート型スライディングプレート。
【請求項８】
前記車椅子（１０）の側面又は背面に、脱着プレート（２）を不使用時に収容保管する収納部（１０ａ）を設けてなることを特徴とする請求項１に記載のセパレート型スライディングプレート。
【発明の詳細な説明】
【技術分野】
【０００１】
ベッドと車椅子との間に掛架して、要介護者のベッドと車椅子間の移動を介助する際に使用するセパレート型スライディングプレートに関する。
【背景技術】
【０００２】
従来、歩行困難な要介護者のベッドから車椅子へ、車椅子からベッドへの移動を介助する際、介助者には中腰で要介護者を前から抱えて立ち上がらせて支え、９０度旋回させて着座させるという作業が求められ、この作業が介助者の身体的、精神的負担となっていたことから、これらの負担を軽減するために、これまでにも要介護者のベッドと車椅子間の移動を介助する装置の発明が多数なされてきている。
例えば要介護者を吊り上げてベッドと車椅子間を移動させる介護用リフトや、
特許文献１に開示された『座席部や背も垂れ又は両方、或いは、一部全面がコンベアとなっている椅子並びに寝台』、
また、特許文献２に開示された『少なくとも一対の回転軸部にシート材が無端状に巻き掛けられた少なくとも一対の移送機構が設けられた座部を有する車椅子に対してスライディングボードを取り付け、前記座部座面を提供する前記シーと前記シート材の上面と前記スライディングボードの上面が上下に重ならない態様で隣接して配設された前記シート材の上に移動具を載置し、前記移動具に要介護者を着座させ、介助者が該移動具左右端を引いて要介護者の車椅子からスライディングボードへの移動、スライディングボードから車椅子への移動させる』とした「スライディングボードを用いた要介護者の移乗支援方法、車椅子、及び移送具』等が見られる。
しかしこれらの発明の多くは、機構が複雑で高価になると思われ、自分では起き上がれず歩行も困難といった重度の障害を持つ要介護者への対応や、多数のベッドを備えた病院等の施設における活用は期待できるが、ベッドには着座できるが歩行困難という要介護者への対応やベッド数の少ない施設においては、導入しにくいという問題があった。
また、特許文献２の発明においては、介助者が要介護者の着座した移動具の取手口を引いて移動させるものであり、その労力を軽減するため、車椅子には一対の回転軸部にシート材が無端状に巻き掛けられた移送機構を設け、スライディングボードの上面も低摩擦材によるコーティングが施されていものの、車椅子からスライディングボードへの移動の際には、介助者はベッドの上に座しての作業となり、またスライディングボードの湾曲部では着座者がスライディングボードから脱落しないよう留意しての方向転換する移動具の引きも介助者の心理的負担も伴う。
【０００３】
これら先行技術の問題点を解決しようと、本発明者らは、先に特願２０１８−１２０５０９によって、ベットと車椅子間に掛架し、要介護者が着座した状態でベットと車椅子間を９０度旋回して移動可能な簡便な構造で安価に製造できる介助具としてのスライディングプレートの発明を提案した。
この発明は、図７に示すようにベッドと、肘掛けを跳ね上げるとサイドガードが横に倒せる横乗りタイプの車椅子との間に掛架し、要介護者のベッドと車椅子間の移乗を介助するスライディングプレートであって、ベッドと車椅子間に掛架する下部プレートと、該下部プレートに載置され、要介護者を着座させて移動する上部プレートとで構成され、下部プレートが、要介護者のベッドと車椅子間の移乗時に必要となる身体の９０度旋回を着座状態で可能にする円弧状のガイドロール誘導溝が穿設されたＬ字の屈曲部を円弧状に形成された幅広で厚手の板状体でなり、上部プレートは、その裏面に前記下部プレートのガイドロール誘導溝に緩挿される２個のガイドロールと、下部プレートの上面に当接して上部プレートの滑らかなスライド移動を可能とする複数のボールキャスターが２列、該上部プレートのスライド移動時に下部プレートのガイドロール誘導溝に脱落することのない配列で備えられてなるものである。
しかし、この発明において介助者が要介護者を抱えて９０度旋回する必要はなくなったものの、ベッドからスライディングプレートの上部プレート間、及び上部プレートと車椅子間の横方向の移動は、介助者が要介護者を前から抱えて行わねばならないという問題は残されていた。
【先行技術文献】
【特許文献】
【０００４】
【特許文献１】特開２０１８−２９８５５号公報
【特許文献２】特開２０１８−２９８５６号公報
【特許文献３】特願２０１８−１２０５０９
【発明の概要】
【発明が解決しようとする課題】
【０００５】
本発明は、上記背景技術に記した特願２０１８−１２０５０９の発明で残されていた問題に鑑みてなされたもので、ベットと車椅子間に掛架し、要介護者が着座した状態でベットと車椅子間を直線的に移動でき、かつ移動時にベットで座したプレートを車椅子に移動した状態でそのまま座席として使用できる簡便な構造のセパレート型スライディングプレートを提供し、介助者が要介護者を抱えて支えることなく移動可能とし、要介護者のベッドと車椅子間の移動時における要介護者及び介助者の身体的、心理的負担を払拭するとともに介護作業時間の大幅な短縮を課題として行ったものである。
【課題を解決するための手段】
【０００６】
本発明者らは上記課題を下記の手段により解決した。
（１）ベッドと、肘掛けが取り外しできる横乗りタイプの車椅子との間に掛架し、要介護者のベッドと車椅子間の移動を介助する際に使用するスライディングプレートであって、
肘掛けを取り外した車椅子の座席部の外枠を形成する鋼製パイプに掛止して座席板として機能させる固定プレートと、
該固定プレートに着脱可能に連接して車椅子とベッド間に掛架される脱着プレートと、
該脱着プレートに載置され、要介護者を着座させてベッドと車椅子間を移動させるスライドプレートと
で構成されてなることを特徴とするセパレート型スライディングプレート。
（２）前記固定プレートがその裏面に、車椅子の座席部の外枠を構成する鋼製パイプに掛止して固定するための半割パイプクランプを、前記脱着プレートとの連接側に複数箇所、非連接側に複数箇所有してなり、かつ前記脱着プレートとの連接側には脱着プレートを前記車椅子の座席外枠を構成する鋼製パイプに掛止可能とする切込部を複数箇所形成してなることを特徴とする（１）に記載のセパレート型スライディングプレート。
（３）前記固定プレートがその裏面に、前記半割パイプクランプを脱着プレートとの連接側に４箇所、非連接側に２箇所有し、かつ脱着プレートとの連接を可能にする前記切込部を２箇所に形成してなることを特徴とする（２）に記載のセパレート型スライディングプレート。
（４）前記脱着プレートがその裏面に、車椅子の座席部の外枠を構成する鋼製パイプに掛止して固定するための半割パイプクランプを複数箇所、前記固定プレートの切込部に挿着可能なように突出して設けて、前記固定プレートとの連接を可能にしてなることを特徴とする（１）又は（２）に記載のセパレート型スライディングプレート。
（５）前記脱着プレートがその裏面に、前記半割パイプクランプを２箇所設けて、前記（３）に記載の固定プレートとの連接を可能にしてなることを特徴とする請求項４に記載のセパレート型スライディングプレート。
（６）前記固定プレートと脱着プレートがその表面に、スライドプレートの移動を安全かつ容易にするための誘導溝を、両者が連接した際に滑らかに連通するよう穿設されてなることを特徴とする（１）〜（５）のいずれか１項に記載のセパレート型スライディングプレート。
（７） 前記スライドプレートがその裏面に、前記固定プレート及び脱着プレート（２）の表面に穿設された誘導溝に摺動可能に挿着される２個のガイドロールと、前記固定プレートと脱着プレートの誘導溝の両脇表面に当接して、スライドプレートの滑らかな移動を可能にする複数のボールキャスターの列を２列備えるとともに、表面を柔らかな素材で仕上げられてなることを特徴とする（１）に記載のセパレート型スライディングプレート。
（８）前記車椅子の側面又は背面に、脱着プレートを不使用時に収容保管する収納部を設けてなることを特徴とする請求項１に記載のセパレート型スライディングプレート。
【発明の効果】
【０００７】
本発明のセパレート型スライディングプレートにより下記の効果が発揮される。
〈１〉ベッドと、肘掛けが取り外しできる横乗りタイプの車椅子との間に掛架し、要介護者のベッドと車椅子間の移動を介助する際に使用するスライディングプレートであって、
肘掛けを取り外した車椅子の座席部の外枠を形成する鋼製パイプに掛止して座席板として機能させる固定プレートと、
該固定プレートに着脱可能に連接して車椅子とベッド間に掛架される脱着プレートと、
該脱着プレートに載置され、要介護者を着座させてベッドと車椅子間を移動させるスライドプレートとで構成されているので、
要介護者が着座した状態でベットと車椅子間を直線的に移動でき、かつ移動時にベットで座したプレートを車椅子に移動した状態でそのまま座席として使用でき、介助者が要介護者を抱えて支えることなく移動可能で、要介護者のベッドと車椅子間の移動時における要介護者及び介助者の身体的、心理的負担を払拭するとともに、作業時間の大幅な短縮が図れる。
〈２〉前記固定プレートがその裏面に、車椅子の座席部の外枠を構成する鋼製パイプに掛止して固定するための半割パイプクランプを、前記脱着プレートとの連接側に複数箇所、非連接側に複数箇所有してなり、かつ前記脱着プレートとの連接側には脱着プレートを前記車椅子の座席外枠を構成する鋼製パイプに掛止可能とする切込部を複数箇所形成してなり、また、前記脱着プレートがその裏面に、車椅子の座席部の外枠を構成する鋼製パイプに掛止して固定するための半割パイプクランプを複数箇所、前記固定プレートの切込部に挿着可能なように突出して設けているので
前記固定プレートと脱着プレートとの連接、離脱が容易にでき、脱着プレートを離脱すれば、固定プレートをそのまま車椅子の座として使用できる。
〈３〉前記固定プレートがその裏面に、前記半割パイプクランプを脱着プレートとの連接側に４箇所、非連接側に２箇所有し、かつ脱着プレートとの連接を可能にする前記切込部を２箇所に形成してなり、また、前記脱着プレートがその裏面に、前記半割パイプクランプを２箇所設けて、前記（３）に記載の固定プレートとの連接を可能にしているので、
前記〈２〉に記載の効果を最も簡便な構造によって発揮できる。
〈４〉前記固定プレートと脱着プレートがその表面に、スライドプレートの移動を安全かつ容易にするための誘導溝を、両者が連接した際に滑らかに連通するように穿設されており、前記スライドプレートにはその裏面に、前記固定プレート及び脱着プレートの表面に穿設された誘導溝に摺動可能に挿着される２個のガイドロールと、前記固定プレートと脱着プレートの誘導溝の両脇表面に当接して、スライドプレートの滑らかな移動を可能にする複数のボールキャスターの列を２列備えているので、
介助者がスライドプレートに着座した要介護者を軽く押すことによって、容易にベッドと車椅子間の移動が可能となり、従来介助者が要介護者を一切抱えることなく、介助者にかかる負担が大幅に軽減でき、移動時間の短縮が図れ、介助者の作業効率の向上に資する。
〈５〉前記着脱プレートが方形状に形成されているので、ベッドに横臥した要介護者の臀部にその先端を当接させた後、要介護者を仰向かせることにより、着脱プレート端部に載置したスライドプレート上に要介護者の臀部を自力又や介助者の介助によって容易に移動でき、その後上半身を介助者の介助によって引き起こせば要介護者のスライドプレートへの移乗ができ、要介護者、介助者ともに身体的及び心理的負担が大幅に軽減される。
〈６〉前記車椅子の側面又は背面に、脱着プレートを不使用時に収容保管する収納部を設けているので、
使用後取り外した脱着プレートを車椅子とともに収納保管でき、紛失の虞がない。
なお、固定プレートは車椅子の座として固定されてよく、スライドプレートは、前記固定プレート上に移動させておけるので特に収納部を設ける必要はない。
【図面の簡単な説明】
【０００８】
【図１】本発明のセパレート型スライディングプレート使用時のシステム構成図
【図２】本発明のセパレート型スライディングプレートの全体構成を示す平面図
【図３】本発明のセパレート型スライディングプレートの固定プレート構成図
【図４】本発明のセパレート型スライディングプレートの脱着プレート構成図
【図５】本発明のセパレート型スライディングプレートのスライドプレート構成図
【図６】本発明のセパレート型スライディングプレートの使用手順説明図
【図７】特願２０１８ー１２０５０９で提案したスライディングプレートを装着した車椅子の斜視図（ａ）と上部プレートと下部プレートの裏面図（ｂ）
【発明を実施するための形態】
【０００９】
本発明のセパレート型スライディングプレートの実施の形態を実施例の図に基づいて説明する。
図１は本発明のセパレート型スライディングプレートの全体構成を示す平面図、図２は本発明のセパレート型スライディングプレートの固定プレート構成図、図３は本発明のセパレート型スライディングプレートの脱着プレート構成図、図４は本発明のセパレート型スライディングプレートのスライドプレート構成図、図５は本発明のセパレート型スライディングプレート使用時のシステム構成図、図６は本発明のセパレート型スライディングプレートの使用手順説明図であり、図において１は固定プレート、１ａは固定プレートに穿たれた誘導溝、１ｂは固定プレートに設けられた半割パイプクランプ、１ｃは固定プレートの切欠部、２は脱着プレート、２ａは脱着プレートに穿たれた誘導溝、２ｂは脱着プレートに設けられた半割パイプクランプ、３はスライドプレート 、３ａはガイドロール、３ｂはボールキャスター、１０は車椅子、１０ａは脱着プレート収容部、２０はベッドを示す。
【００１０】
本発明のセパレート型スライディングプレートは、図１及び図２に示すように、ベッド２０と、肘掛けが取り外しできる横乗りタイプの車椅子１０との間に掛架し、要介護者のベッド２０と車椅子１０間の移動を介助する際に使用するスライディングプレートであって、
肘掛けを取り外した車椅子１０の座席部の外枠を形成する鋼製パイプに掛止して座席板として機能させる固定プレート１と、
該固定プレート１に着脱可能に連接して車椅子１０とベッド２０間に掛架される脱着プレート２と、
該脱着プレート２上に載置され、要介護者を着座させてベッド２０と車椅子１０間を移動させるスライドプレート３とで構成されている。
【００１１】
前記固定プレートは、図３（ｃ）の裏面図に示すように、裏面に車椅子１０の座席部の外枠を構成する鋼製パイプに掛止して固定するための半割パイプクランプ１ｂを、前記脱着プレート２との連接側に４箇所、非連接側に２箇所有してなり、かつ前記脱着プレート２との連接側には脱着プレート２を前記車椅子１０の座席外枠を構成する鋼製パイプに掛止可能とする切込部１ｃを２箇所形成されている。
またその表面には、図３（ａ）の表面図に示すように、スライドプレート３の移動を安全かつ容易にするための誘導溝１ａが穿設されている。
【００１２】
前記脱着プレート２は、図４（ｃ）の裏面図に示すように、裏面に車椅子１０の座席部の外枠を構成する鋼製パイプに掛止して固定するための半割パイプクランプ２ｂを２箇、前記固定プレート１の切込部１ｃに挿着可能なように突出してなる突出部２ｃに設けて、前記固定プレート１との連接を可能にしている。
またその表面には、図４（ａ）の表面図に示すように、スライドプレート３の移動を安全かつ容易にするための誘導溝２ａが穿設されている。
【００１３】
前記スライドプレート３は、図５（ｂ）の正面図、（ｃ）の裏面図及び（ｄ）の側面図に示すように、その裏面に前記固定プレート１及び脱着プレート２の表面に穿設された誘導溝１ａ、２ａに摺動可能に挿着される２個のガイドロール３ａと、前記固定プレート１と脱着プレート２の誘導溝１ａ、２ａの両脇表面に当接して、スライドプレート３の滑らかな移動を可能にする複数のボールキャスター３ｂの列を２列備えている、
また表面は、要介護者の着座時の座り心地を配慮して柔らかな素材で仕上げられている。
【００１４】
次いで本発明のセパレート型スライディングプレートの使用手順について図５に基づいて説明する。
まずは車椅子１０に固定プレート１を掛止、固定する準備作業に始まる。この作業は車椅子の肘掛けとシートを取り外して座席部の外枠を形成する鋼製パイプを露呈させ、該鋼製パイプに固定プレート１の裏面に設けられた半割パイプクランプ１ｂを係止することによって行われる。しかしこの作業は該車椅子１０を引き続き要介護者の介助用として使用するのであれば、車椅子１０に固定プレート１を掛止、固定した状態で保管されればよく、その後この作業は省略されてよい。
介助者の要介護者へ対する作業手順の第１ステップは、図６（ａ）に示すように、固定プレート１を装着した車椅子１０を要介護者の仰臥（ぎょうが）したベッド２０の脇に配置し、次いで第２ステップとして、図５（ｂ）に示すように脱着プレート２を前記固定プレート１に連接させて、車椅子１０とベッド２０の間に渡設させる。
この脱着プレート２の固定プレート１への連接は、車椅子１０の座席部外枠を形成する鋼製パイプを介して行われる。すなわち、先に前記鋼製パイプに半割パイプクランプ１ｂによって掛止、固定された固定プレート１の切欠部１ｃに露出する鋼製パイプに、脱着プレート２の突出部２ｃの裏面に設けられた半割パイプクランプ２ｂを掛止することによって行われる。
そして第３ステップとして、図５（ｃ）に示すように脱着プレート２の上に要介護者の着座部となるスライドプレート３を、その裏面に固着された２個のガイドロール３ａを前記脱着プレート２の表面に穿たれた誘導溝２ａに挿入して載置する。なお、脱着プレート及び固定プレート１の誘導溝１ａ、２ａの断面形状とガイドトロール３ａの側面形状についてはそれぞれ図３（ｄ）、図４（ｄ）、図５（ｄ）の各側面図を参照されたい。
そしてまた、この作業も該車椅子１０を引き続き要介護者の介助用として使用するのであれば、車椅子１０に掛止、固定した状態で保管される固定プレート１上にスライドプレート３を移動しておけばよいので、その後この作業は省略されてよい。
【００１５】
上記３つのステップで組み立てられたセパレート型スライディングプレートに要介護者を移乗させるには、スライドプレート３を載置した脱着プレート２の先端をベッド２０に横臥した要介護者の臀部に当接した後、要介護者を仰向けに寝返りさせることによってその臀部を前記スライドプレート３上に移動させ、その後上半身を引き起こして座らせることによって行う。この際介助者は要介護者の腰を持ち上げるとか背を引き起こす等の介助を必要とすることもあるが、そのことに対する要介護者、介助者の身体的、精神的負担はいずれも軽微ですむ。
そして第４のステップとしてスライドプレート３に着座した要介護者の背を介助者が押すなどしてスライドプレート３を、脱着プレート２と固定プレート１に穿たれた誘導溝２ａ、１ａに沿って固定プレートに移動した後、図６（ｄ）に示すように脱着プレート２を車椅子１０から取り外し、その後車椅子１０に肘掛けを取り付けて要介護者のベッド２０から車椅子１０への移動は完了する。
要介護者の車椅子１０からベッド２０への移動は、上記ステップを逆に実施することによってなされればよい。
【符号の説明】
【００１６】
１：  固定プレート
１ａ：誘導溝
１ｂ：半割パイプクランプ
１ｃ：切欠部
２：脱着プレート
２ａ；誘導溝
２ｂ：半割パイプクランプ
３：スライドプレート
３ａ：ガイドロール
３ｂ；ボールキャスター
１０；車椅子
１０ａ：脱着プレート収容部
２０：ベッド
【図１】
2020178749.tif 000003
【図２】
2020178749.tif 000004
【図３】
2020178749.tif 000005
【図４】
2020178749.tif 000006
【図５】
2020178749.tif 000007
【図６】
2020178749.tif 000008
【図７】
2020178749.tif 000009